(57)【要約】【課題】長期の価格変動と短期の価格変動の双方を同時に表示することにより使い勝手を向上させたチャート表示装置の提供を目的とする。【解決手段】外国為替等の取引市場の逐次取引価格情報を蓄積する価格情報蓄積部１と、  価格情報蓄積部１内の取引価格情報から異なる集計期間に関するチャート情報を生成するチャート情報生成手段２と、  前記チャート情報から所定のチャート図形４を生成し、集計期間の異なる長短期のチャート図形４を同一ディスプレイ上に描画するチャート描画制御手段３とを有し、  前記チャート描画制御手段３は、直近のチャート情報に基づく短期のチャート図形４を、直近のチャート情報に基づく長期のチャート図形４の近傍に、該長期のチャート図形４の拡大図として描画する。【選択図】  図４
2014026441.tif 000002
【特許請求の範囲】
【請求項１】
外国為替等の取引市場の逐次取引価格情報を蓄積する価格情報蓄積部と、
価格情報蓄積部内の取引価格情報から異なる集計期間に関するチャート情報を生成するチャート情報生成手段と、
前記チャート情報から所定のチャート図形を生成し、集計期間の異なる長短期のチャート図形を同一ディスプレイ上に描画するチャート描画制御手段とを有し、
前記チャート描画制御手段は、直近のチャート情報に基づく短期のチャート図形を、直近のチャート情報に基づく長期のチャート図形の近傍に、該長期のチャート図形の拡大図として描画するチャート表示装置。
【請求項２】
前記長期の直近チャート図形上に、短期のチャート図形の変動幅が識別可能に表示される請求項１記載のチャート表示装置。
【請求項３】
ディスプレイ上に描画される最短期のチャート図形が、取引成立値を都度表示する折れ線グラフ状のティックチャートである請求項１または２記載のチャート表示装置。
【請求項４】
前記チャート図形が描画される画面上に注文画面を描画する注文画面描画手段を有する請求項１、２または３記載のチャート表示装置。
【請求項５】
前記チャート描画制御手段は、複数の集計期間の異なる直近チャート図形のみをディスプレイ上に表示する請求項４記載のチャート表示装置。
【請求項６】
ディスプレイ上にチャートを表示させるチャート表示プログラムであって、
コンピュータに、
価格情報蓄積部内に蓄積された外国為替等の取引市場の逐次取引価格情報から異なる集計期間に関するチャート情報を生成する手順と、
前記チャート情報から各集計期間に対する所定のチャート図形を生成する手順と、
直近のチャート情報に基づく短期のチャート図形を、直近のチャート情報に基づく長期のチャート図形の近傍に、該長期のチャート図形の拡大図として描画する手順と、
を実行させるチャート表示プログラム。
【発明の詳細な説明】
【技術分野】
【０００１】
本発明は、チャート表示装置に関するものである。
【背景技術】
【０００２】
為替相場等の電子取引を行う際に、ネット上の取引者には現在の取引価格、および当該取引価格の値頃感を確認するために、価格変動の経過を示すチャートが提供され、従来かかるチャートを表示する装置としては、特許文献１に記載されるように、現在までの取引価格を年、日、時間等、所定期間毎の推移を示すものが知られている。
【先行技術文献】
【特許文献】
【０００３】
【特許文献１】特開２００９-４３０５３号公報
【発明の概要】
【発明が解決しようとする課題】
【０００４】
しかし、上述した従来例は、比較的長期の価格変動を確認しながら売買取引を行うことが可能である反面、より短いスパンでの価格変動を知るためには、表示期間の短いチャートに切り替える必要があるために、使い勝手が悪いという問題がある。
【０００５】
この問題を解決するため、初期に短いスパンのチャートを表示しておくことも可能であるが、この場合、長期の変動傾向を知ることができず、これを知るために再度長期チャートに切り替える必要があり、依然使い勝手の改善を図ることはできない。
【０００６】
本発明は、以上の問題を解決するためになされたものであって、長期の価格変動と短期の価格変動の双方を同時に表示することにより使い勝手を向上させたチャート表示装置の提供を目的とする。
また、本発明の他の目的は上記装置に使用するチャート表示プログラムの提供にある。
【課題を解決するための手段】
【０００７】
本発明によれば上記目的は、
外国為替等の取引市場の逐次取引価格情報を蓄積する価格情報蓄積部１と、
価格情報蓄積部１内の取引価格情報から異なる集計期間に関するチャート情報を生成するチャート情報生成手段２と、
前記チャート情報から所定のチャート図形４を生成し、集計期間の異なる長短期のチャート図形４Ａ、４Ｂを同一ディスプレイ上に描画するチャート描画制御手段３とを有し、
前記チャート描画制御手段３は、直近のチャート情報に基づく短期のチャート図形４Ｂを、直近のチャート情報に基づく長期のチャート図形４Ａの近傍に、該長期のチャート図形４Ａの拡大図として描画するチャート表示装置を提供することにより達成される。
【０００８】
チャート表示装置は、インターネット等の通信網（ＮＥＴ）を経由して取引市場での取引価格を受信することができ、受信した取引価格は逐次価格情報蓄積部１に蓄積された後、チャート情報生成手段２において異なった複数種の集計期間（「年」、「日」、「時間」、「分」、「秒」等）に関するチャート情報が生成される。チャート情報は、後述するチャート図形４の要素から構成され、例えば、チャート図形４がローソク足、バーチャートの場合、集計期間の開始時おける始値、現在値（終値）、集計期間内の最高値（高値）、最安値（安値）等からなる。
【０００９】
チャート描画制御手段３は、上記チャート情報をもとにして長期の集計期間に関するチャート図形４Ａと短期の集計期間に関するチャート図形４Ｂとを生成し、ディスプレイ上に描画する。チャート図形４は、複数種の長期チャート図形４Ａと最短期チャート図形４Ｂ、あるいは１種類の長期チャート図形４Ａと短期チャート図形４Ｂを描画することが可能であり、描画するチャート図形４の集計期間は、利用者により選択されるものであっても、あるいは予め決定されたものであってもよい。
【００１０】
チャート図形４の描画に際し、直近のチャート情報に基づく短期のチャート図形４Ｂは、直近のチャート情報に基づく長期のチャート図形４Ａの近傍に、該長期のチャート図形４Ａの拡大図として描画され、複数種の長期のチャート図形４Ａを描画する場合には、直近チャートのみを描画することができ、長短２種類のチャート図形４Ａ、４Ｂを描画する場合には、長期側を複数本のチャート図形で描画し、短期側のみを直近のチャート図形で描画したり、あるいは長短双方を直近のチャート図形で描画することができる。
【００１１】
したがって本発明において、短期のチャート図形４を長期のチャート図形４の近傍に、該チャート図形４の近傍値の拡大図として描画することにより、長期の視点に立った価格変動を考慮しつつ、現在の市場価格をミクロの視点で視認することができるために、市場の動向をよりダイナミックに把握することが可能になる。
【００１２】
また、チャート表示装置は、
前記長期の直近チャート図形４Ａ上に、短期のチャート図形４Ｂの変動幅が識別可能に表示されるように構成することができる。
【００１３】
長期のチャート図形４Ａ上に拡大表示される短期のチャート図形４Ｂの変動幅を表示することにより、現在、どの程度の範囲で価格変動しているかが一目で分かるために、より使い勝手が向上する。
【００１４】
さらに、チャート表示装置は、
ディスプレイ上に描画される最短期のチャート図形４Ｂが、取引成立値を都度表示する折れ線グラフ状のティックチャートであるように構成することができる。
【００１５】
最短期のチャート図形４Ｂは、ローソク足のように、複数の指標を１図形で表示するものであってもよいが、これに代えてティックチャートで表示すると、より詳細な値動きを識別することが可能になる。
【００１６】
また、チャート表示装置は、
前記チャート図形４が描画される画面上に注文画面５を描画する注文画面描画手段６を有して構成することができる。
【００１７】
チャート図形４と注文画面５を同一画面上に描画することにより、値動きを確認しながら取引を行うことができるために、取引タイミングを逸することがなくなる。
【００１８】
この場合、
前記チャート描画制御手段３は、複数の集計期間の異なる直近チャート図形４のみをディスプレイ上に表示するチャート表示装置を構成すると、長期から短期までの間の値動きを狭いスペースで表示することが可能になる。
【００１９】
また、上記目的は、
ディスプレイ上にチャートを表示させるチャート表示プログラムであって、
コンピュータに、
価格情報蓄積部１内に蓄積された外国為替等の取引市場の逐次取引価格情報から異なる集計期間に関するチャート情報を生成する手順と、
前記チャート情報から各集計期間に対する所定のチャート図形４を生成する手順と、
直近のチャート情報に基づく短期のチャート図形４Ｂを、直近のチャート情報に基づく長期のチャート図形４Ａの近傍に、該長期のチャート図形４Ａの拡大図として描画する手順と、
を実行させるチャート表示プログラムによって達成できる。
【発明の効果】
【００２０】
本発明によれば、長期の価格変動と短期の価格変動の双方を同時に表示することができるために、使い勝手を高めることができる。
【図面の簡単な説明】
【００２１】
【図１】本発明を示す図である。
【図２】本発明の機能ブロック図である。
【図３】本発明のフローチャートである。
【図４】本発明の画面構成を示す図である。
【図５】図４の変形例を示す図である。
【図６】図４の他の変形例を示す図である。
【発明を実施するための形態】
【００２２】
以下、外国為替証拠金取引（ＦＸ）に使用されるチャート表示装置を例にとって本発明を説明する。図１に示すように、外国証拠金取引は、外国為替証拠金取引業者が運用する取引サーバ７と、外貨の売買を行うユーザが所有するチャート表示装置８とをインターネット通信網（ＮＥＴ）を介して接続して行われる。
【００２３】
取引サーバ７には、インターバンク市場の当事者により運用される上位サーバ９から取引額情報が逐次提供される。
【００２４】
チャート表示装置は、汎用のパーソナルコンピュータ上でチャート表示用プログラムを走行させて後述する各手段を実現することにより構成されており、取引サーバ７はチャート表示装置８に対して該チャート表示装置８用にフォーマットされた取引価格情報を出力する。
【００２５】
チャート表示装置８は、図２に示すように、制御部８ａと、該制御部８ａにより制御されて作動する入出力手段８ｂ、チャート情報生成手段２、チャート描画制御手段３、注文画面描画手段６、および注文制御手段８ｃ、さらに、システムの外部記憶装置を利用して構築される価格情報蓄積部１とを有する。
【００２６】
入出力手段８ｂは、取引サーバ７との交信権限に対する認証成立を条件に取引サーバ７と交信して取引価格情報を受信し、さらに、注文制御手段８ｃにより生成された注文情報を取引サーバ７に出力する。また、入出力手段８ｂは、取引サーバ７からの取引の成否、成立値等を受信すると、予め定められたフォーマットでディスプレイに表示する。
【００２７】
本例において取引サーバ７側からの取引価格情報は、成立日時、成立価格を含むティック値として送信され、チャート情報生成手段２は、予め定められた複数種の集計期間に対するチャート情報を生成する。
【００２８】
後述するように、チャート図形４としてローソク足が使用される本例において、チャート情報生成手段２は、各集計期間に対応するローソク足の描画に必要な始値、終値、高値、安値の４値を抽出してチャート描画制御手段３に出力する。
【００２９】
また、チャート情報生成手段２は、短期チャート図形４Ｂとしてティックチャートが選択された際には、直近のティック値をチャート描画制御手段３に出力し、チャート描画制御手段３は、ティック値の変化を示す折れ線グラフ上のティックチャートをチャート画面に描画する。
【００３０】
チャート描画制御手段３と注文画像描画手段とは、図４に示すように、ディスプレイの同一画面上にチャート画面１０と注文画面５とを各々描画する。注文画面５には、取引対象の通貨ペア選択用プルダウンメニュー５ａ、注文種類選択用プルダウンメニュー５ｂ、注文ロット数指定用プルダウンメニュー５ｃ、現在の売値表示、買値表示に加え、種々のインストラクション、あるいは確認用メッセージが表示される。
【００３１】
注文画面５上の売値、買値表示はボタンオブジェクトである注文ボタン５ｄ上に表示され、利用者がこれらをクリックすると、当該表示価格での注文として注文制御手段８ｃに出力され、注文情報を受領した注文制御手段８ｃは、利用者への再確認画面（図示せず）を表示した後、入出力手段８ｂから取引サーバ７に向けて注文情報を出力し、注文結果を待ち受け、取引サーバ７からの上位サーバに対する注文成立、非成立結果等を受信すると、その結果を注文画面５に表示する。
【００３２】
チャート描画制御手段３は、画面のほぼ半分を占めるチャート画面１０内に長短２種の集計期間に関するチャート図形４Ａ、４Ｂを表示するもので、本例においては、長期側には１日を集計期間とする直近のローソク足チャート（日足チャート）の１本が描画される。
【００３３】
また、短期のチャート図形４Ｂは、チャート描画制御手段３により描画された集計期間選択用プルダウンメニュー１０ａから利用者が選択した１分足、１０分足、ティックチャートのいずれかが描画される（図４においてはティックチャートが選択されている。）。
【００３４】
この短期のチャート図形４Ｂは、長期のチャート図形４Ａの拡大図として示されており、長期のチャート図形４Ａには、短期側のチャート図形４の変動幅が表示され、長期と短期のチャート図形４Ｂ間には、拡大指示画像１０ｂが表示される。
【００３５】
なお、図４においては、長期のチャート図形４Ａは日足チャートに限定された実施の形態を示したが、長期のチャートを例えば、「年」、「月」、「週」、「日」、「時間」等から利用者に選択させることも可能であり、この場合、チャート画面には長期チャート図形４Ａの集計期間を選択する集計期間選択用プルダウンメニューが配置される。
【００３６】
注文制御手段８ｃは、上記注文画面５における注文ボタン５ｄがクリックされた際に、注文金額、注文画面５で選択された売買種、注文ロット数等を含む注文情報を生成して入出力手段８ｂに出力するとともに、入出力手段８ｂが取引サーバ７からの注文成立、非成立情報等を受領した際には、当該情報を注文画面描画手段６に伝達し、注文画面５上に必要な情報を表示する。
【００３７】
図３に以上のチャート表示装置を構築するためのプログラムのフローチャートを示す。まず、プログラムが走行されると、入出力手段８ｂにおいて取引サーバ７との交信権限に対する認証動作が行われる（ステップＳ１）。取引サーバ７との認証が成立すると、入出力手段８ｂは、取引サーバ７との交信を開始して（ステップＳ２）、取引サーバ７が出力する取引価格情報を受信し、逐次価格情報蓄積部１に蓄積する。
【００３８】
一方、制御部８ａは、予め図外の初期設定ファイルに格納してある初期設定に基づいて通貨ペア、注文種、売買種、短期チャート図形４Ｂの表示集計期間等をチャート情報生成手段２、チャート描画制御手段３、および注文画面描画手段６にセットする初期化ステップを実行する（ステップＳ３）。
【００３９】
ステップＳ３により初期値を与えられたチャート情報生成手段２は、上記価格情報蓄積部１から当日分の日足のローソク足を生成するための４値を集計してチャート描画制御手段３に出力し（ステップＳ４）、チャート画面１０を描画する（ステップＳ５）。
【００４０】
一方、ステップＳ３により初期値を与えられた注文画面描画手段６は、必要な情報、注文ボタン５ｄ等を所定位置に配置するとともに、価格情報蓄積部１から最新取引値を照会して注文ボタン５ｄ上に表示する。
【００４１】
以上、ステップＳ６までにおいて初期設定に従ったチャート画面１０、および注文画面５が描画されており、この後、利用者が各プルダウンメニューを操作して描画条件を変更すると（ステップＳ７）、ステップＳ４以下を実行して設定条件を加味したチャート画面１０と注文画面５が描画され、注文ボタン５ｄへのクリック操作が行われると（ステップＳ８）、注文制御手段８ｃによる注文処理が行われる（ステップＳ９）。
【００４２】
以上の処理は画面の終了操作が行われるまで繰り返され、終了操作が行われると（ステップＳ１０）、制御が終了する。
【００４３】
なお、以上においては、長期のチャート図形４Ａとして直近の日足を１本表示する場合を示したが、図５に示すように、長期のチャート図形４Ａとして、複数種（図５においては日足と週足の２種）の直近のローソク足を表示したり、あるいは、図６に示すように、長期のチャート図形４Ａを通常使用されるように、経時的に変化する複数のローソク足として表示することもできる。
【符号の説明】
【００４４】
１        価格情報蓄積部
２        チャート情報生成手段
３        チャート描画制御手段
４Ａ      長期のチャート図形
４Ｂ      短期のチャート図形
５        注文画面
６        注文画面描画手段
【図１】
2014026441.tif 000003
【図２】
2014026441.tif 000004
【図３】
2014026441.tif 000005
【図４】
2014026441.tif 000006
【図５】
2014026441.tif 000007
【図６】
2014026441.tif 000008